【事件の表示】
　平成　９年特許願第２７１１９８号「画像形成装置」拒絶査定不服審判事件〔平成１１年　４月２３日出願公開、特開平１１−１０９７９３〕について、次のとおり審決する。
【結　論】
　本件審判の請求は、成り立たない。
【理　由】
１．手続の経緯・本願発明
　本願は、平成９年１０月３日の出願であって、その請求項１に係る発明（以下、「本願発明１」という。）は、平成１８年８月１８日付け手続補正書により補正された特許請求の範囲の請求項１に記載された事項により特定される、次のとおりのものである。
　
「原稿の画像を読取るための読取手段と、
　前記読取手段によって読取られた画像データと動作モードとを対応付けてジョブとして登録するための第１の登録手段と、
　前記第１の登録手段によって登録された出力待ちの複数のジョブの中から第１のジョブを選択するための選択手段と、
　前記選択手段によって選択された第１のジョブの動作モードを表示するための表示手段と、
　ユーザからの指示によって修正された前記表示手段に表示された動作モードと、前記読取手段によって新たに読取られた画像データとを対応付けて新規の第２のジョブとして登録するための第２の登録手段と、
　前記第１の登録手段によって登録された第１のジョブおよび第２の登録手段によって登録された第２のジョブの画像データを当該動作モードに基づいて出力するための出力手段とを含む画像形成装置。」
　
２．引用例
　これに対して、当審において、平成１８年６月１３日付けで通知した拒絶理由に引用され、本願の出願前に頒布された刊行物である特開平７−３０３１６４号公報（以下、「刊行物１」という。）には、図面とともに、以下の事項が記載されている。（下線は当審で付与。）
　
（１−ａ）「【請求項１】　画像データを入力するための少なくとも１つ以上の入力手段と、入力された画像データを記憶するための記憶手段と、画像データを出力するための少なくとも１つ以上の画像出力手段と、上記手段を各々独立に処理しながら複数のジョブを制御するための制御手段とを備えた画像処理装置において、 
　ａ）実行中及び実行待ちをしているジョブを表示するジョブ表示手段と、　ｂ）前記ジョブ表示手段に表示されているジョブから任意のジョブを選択するジョブ選択手段と、 
　ｃ）前記ジョブ選択手段において選択されたジョブに対して処理条件の変更を行うジョブ処理変更手段と、 
　ｄ）前記ジョブ処理変更手段によって変更された出力処理条件に基づき出力処理の追加、削除を行う制御手段を備えたことを特徴とする画像処理装置。」
　 
（１−ｂ）「【０００７】
【課題を解決するための手段】そのために本発明は、画像データを入力するための少なくとも１つ以上の入力手段と、入力された画像データを記憶するための記憶手段と、画像データを出力するための少なくとも１つ以上の画像出力手段と、上記手段を各々独立に処理しながら複数のジョブを制御するための制御手段とを備えた画像処理装置において、実行中及び実行待ちをしているジョブを表示するジョブ表示手段と、前記ジョブ表示手段に表示されているジョブから任意のジョブを選択するジョブ選択手段と、前記ジョブ選択手段において選択されたジョブに対して処理条件の変更を行うジョブ処理変更手段と、前記ジョブ処理変更手段によって変更された出力処理条件に基づき出力処理の追加、削除を行う制御手段を備えたことを特徴とする。
【０００８】 
【作用】複数のジョブを並列に制御することができる複数種の機器を一体化した複合機器を操作する場合において、実行中及び実行待ちをしているジョブを表示するジョブ表示手段によりオペレータは、受け付けられたジョブについて確認ができる。さらに、前記ジョブ表示手段に表示されているジョブから任意のジョブを選択するジョブ選択手段と、前記ジョブ選択手段において選択されたジョブに対して処理条件の変更を行うジョブ処理変更手段により、操作モードにとらわれずジョブ単位に操作が可能となり、前記ジョブ処理変更手段によって変更された出力処理条件に基づき出力処理の追加、削除を行う制御手段を備えたことにより、容易にジョブ内容の出力処理の変更操作が可能となる。」
　 
（１−ｃ）「【００２１】図３は、本発明に係わる画像処理装置の一実施例を示すハードウェアブロック図である。
【００２２】図３において、画像処理部（ＥＳＳ：Ｅｌｅｃｔｒｏｎｉｃ　Ｓｕｂ．Ｓｙｓｔｅｍ）Ｂ８は、オペレーションパネル等のユーザインタフェース（ＵＩ）であるジョブ動作指定装置Ｂ７、自動原稿送り装置（ＡＤＦ：ＡｕｔｏｍａｔｉｃＤｏｃｕｍｅｎｔ　Ｆｅｅｄｅｒ）Ｂ１、画像読み取り装置（ＩＩＴ／ＩＰＳ）Ｂ２、出力装置（ＩＯＴ）Ｂ６、及び印字用紙後処理装置（ＦＩＮＩＳＨＥＲ）Ｂ５が連結され、ジョブ動作に従って制御するためのシステム制御部（ＳＹＳ．ＣＯＮＴ：Ｓｙｓｔｅｍ　Ｃｏｎｔｒｏｌｌｅｒ）Ｂ８５と、コマンド／ステータス信号及び画像入力信号を制御し、解像度変換を行う入力インタフェース（ＩＩＴ−Ｉ／Ｆ）Ｂ８１、コマンド／ステータス信号及び画像出力信号を制御し、解像度変換を行う出力インタフェース（ＩＯＴ−Ｉ／Ｆ）Ｂ８４、ファクシミリ（ＦＡＸ）Ｂ３とのコマンド／ステータス信号及び画像信号を制御し、解像度変換を行うファクシミリインタフェース（ＦＡＸ−Ｉ／Ｆ）Ｂ８２、ネットワークに接続された外部機器とのコマンド／ステータス信号及び画像信号を制御するネットワークインタフェース（ＮＥＴ−Ｉ／Ｆ）Ｂ８３、入力画像データを一時格納させるためのページバッファＢ８６、及びディスクコントローラＢ８７とディスクＢ８８からなる大容量のデータ蓄積用メモリとしてのディスクコントローラユニットから構成される。
【００２３】まず、画像読み取り装置Ｂ２からの入力、出力装置Ｂ６への出力の場合について説明する。
自動原稿送り装置Ｂ１もしくは画像読み取り装置Ｂ２のプラテン上に原稿をセットし、ジョブ動作指定装置Ｂ７によってジョブ動作を設定した後スタートボタンを押下すると、画像読み取り装置Ｂ２は、光電変換により原稿の画像情報を読み取り、デジタル画像データへの変換及び画像処理を施しながら、入力インタフェースＢ８１を介してページバッファＢ８６に順次格納される
　 
（１−ｄ）「【００３１】図５は、本発明を適用したジョブ動作指定装置Ｂ７のブロック図である。 
【００３２】
図５において、ａは現在実行中及び受け付けられたジョブを全て表示し、この全てのジョブに対して操作を可能とするジョブ表示手段である
ｇは、ジョブ表示手段ａで表示されたジョブを選択し、操作内容を入力するジョブ入力手段である
【００３３】Ｂ７ａｂは、図４における透明タッチパネルＢ７ａとディスプレイＢ７ｂとの一体構造からなるコントロールパネル部で、ジョブ表示手段ａとジョブ入力手段ｇの他、複合機全ての表示及び操作を行う。全てのジョブは第２記憶部ｅに記憶され、ジョブ管理手段ｆによって管理される。更に、ジョブ管理手段ｆは、各ジョブの実行状態等を監視し、現在の各ジョブの実行状態をジョブ表示手段ａに表示する。ジョブ入力手段ｇで選択されたジョブは、ジョブ選択手段ｃによって第２記憶部ｅより第１記憶部ｄに読み出され、この第１記憶部ｄにおいて入力手段ｇからのオペレータの指示によりジョブ処理変更手段ｂによって処理変更操作が行われ、決定した内容は再び第２記憶部ｅに格納される。 
【００３４】Ｂ７ｃ１は、ジョブ動作指定装置Ｂ７の前記各手段を所定の動作に従い制御し、オペレータによつてコントロールパネル部Ｂ７ａｂで設定された所望の処理をするために画像処理部Ｂ８ヘコマンド／ステータス信号を送ったり、画像処理部Ｂ８からのコマンド／ステータス信号を制御するコントローラで、所定の動作をさせるためのプログラムを記憶したメモリ、ＣＰＵ（ＣｅｎｔｒａｌＰｒｏｃｅｓｓｉｎｇ　Ｕｎｉｔ）等からなる。 
【００３５】図６は、本発明を適用した実施例のコントロールパネル部のジョブコンソール部Ｕ１である。このジョブコンソール部Ｕ１は、ジョブリスト表示部Ｕ１１とジョブ操作部Ｕ１２から構成されている。
ジョブリスト表示部Ｕ１１には、図６中に示したように、現在処理中及び処理待ち状態になっているジョブ全てを表示する
【００３６】
また、各ジョブの詳細設定を確認及び変更したい場合は、上記の要領で選択反転したジョブを再度選択するか、ジョブ操作部Ｕ１２の「変更」Ｕ１２ｂを選択することにより、図７に示す、ジョブ設定表示部Ｕ２において行うことができる
変更操作後、「設定終了」Ｕ２１を選択することで当該ジョブの設定内容が変更完了する
　 
（１−ｅ）「【００４０】・・・ 図１０は、本発明を適用した実施例のジョブの詳細設定の確認／変更する場合のコントロールパネル部の操作、表示を説明するフローチャートである。まず、オペレータは、ジョブリストＵ１１より現在処理中及び処理待ち状態のジョブを知ることができる。Ｊｏｂ２Ｌ２の処理変更、設定変更及び確認を行う場合、ジョブリストＵ１１のＪｏｂ２Ｌ２が表示されている箇所をタッチして、Ｊｏｂ２Ｌ２を反転表示状態にする（ＳＵ１１）。これにより、このＪｏｂ２に関する処理及び設定についての操作が可能となる。処理を変更する場合は、この状態でジョブ操作部Ｕ１２中の「停止」Ｕ１２ｃ（ＳＵ１２）、「再開」Ｕ１２ｄ（ＳＵ１３）、「破棄」Ｕ１２ｅ（ＳＵ１４）のいずれかを選択することにより操作できる。ただし、「停止」Ｕ１２ｃを選択し、「再開」Ｕ１２ｄするまでに行う処理については省略する（ＳＵ１３）。設定内容の確認及び変更を行う場合は、ジョブ操作部Ｕ１２中の「変更」を選択するか、反転しているジョブリストＵ１１のＪｏｂ２Ｌ２を再度選択することによりジョブ設定表示部Ｕ２を表示（ＳＵ１５）して設定変更することができる（ＳＵ１６）。設定内容の確認及び設定変更が終了したらジョブ設定表示部Ｕ２内の設定終了Ｕ２１を選択することにより、ジョブの設定内容及び終了する（ＳＵ１７）。 
【００４１】なお、ここでは、実行待ち状態のジョブの処理変更の説明にとどまっているが、本発明の操作／表示形態によれば、選択したジョブを停止／再開し、同様の操作をすることにより実行中でもジョブの処理変更が可能となる。」
　 
（１−ｆ）「【００４２】 
【発明の効果】
以上の説明から明らかなように、本発明によれば、すべての操作をジョブ単位で行うため、操作モードを切り換えることなく全てのジョブの状態の設定内容の確認ができ、操作モードにとらわれずジョブごとに出力処理の変更ができる
従って、オペレータの操作性の向上を図ることができる
　
（１−ｇ）【図３】、【図５】、【図６】、【図７】はそれぞれ、以下に示すものである。
　
　　　　　　　　　　　　　　【図３】
　　　　　　　　　　　　　　【図５】
　　　　　　　　　　　　　　【図６】
　　　　　　　　　　　　　　【図７】
 　 
　上記（１−ｅ）で摘記した段落【００４１】に、実行待ちのジョブを選択してジョブの処理変更を行うことが記載されていること、及び、上記（１−ｃ）で摘記した段落【００２３】に、刊行物１に記載された画像処理装置が、オペレータがジョブ動作指定装置Ｂ７を操作することによってジョブ動作を設定した後スタートボタンを押下すると、画像読み取り装置Ｂ２が原稿の画像情報を新たに読み取りページバッファＢ８６に順次格納されることが記載されているから、刊行物１に記載の画像処理装置は既に登録されたジョブとは別のジョブを登録できるジョブ登録手段を有しており、複数の登録されたジョブの画像データを、オペレータによって設定された処理条件に基づいて出力することができるといえることを考慮に入れて、上記摘記事項を総合して勘案すると、刊行物１には次の発明（以下、「刊行物１記載発明」という。）が実質的に記載されている。 
 　 
「原稿の画像を読取るための画像読み取り装置Ｂ２と、 
　前記画像読み取り装置Ｂ２によって読取られた画像データと、処理条件とを対応付けてジョブとして登録するための登録手段（ジョブ管理手段ｆ、第２記憶部ｅ等）と、 
　前記登録手段（ジョブ管理手段ｆ、第２記憶部ｅ等）によって登録された実行待ちの複数のジョブの中から第１のジョブを選択するための選択手段（ジョブリスト表示部Ｕ１１、ジョブ選択手段ｃ、第１記憶部ｄ等）と、 
　前記選択手段によって選択された第１のジョブの処理条件を表示するためのジョブ設定表示部Ｕ２と、 
　オペレータからの指示によって変更された前記ジョブ設定表示部Ｕ２に表示された処理条件と、前記画像読み取り装置Ｂ２によって読取られた第１のジョブの画像データとを対応付けて前記第１のジョブの処理条件が変更された新規のジョブとして登録する別の登録手段（
ジョブ処理変更手段ｂ
　前記登録手段（ジョブ管理手段ｆ、第２記憶部ｅ等）によって登録された前記第１のジョブまたは前記第１のジョブの処理条件が変更された新規のジョブおよび前記登録手段（ジョブ管理手段ｆ、第２記憶部ｅ等）によって登録された新規の第２のジョブの画像データを当該処理条件に基づいて出力するための出力手段（出力装置Ｂ６等）とを含む画像処理装置。」 
 　 
３．本願発明１（前者）と刊行物１に記載された発明（後者）の対比 
　後者の「画像読み取り装置Ｂ２」、「処理条件」、「実行待ち」、「登録手段（ジョブ管理手段ｆ、第２記憶部ｅ等」、「ジョブ設定表示部Ｕ２］、「オペレータ」、「変更された」、「画像処理装置」は、それぞれ、前者の「読取手段」、「動作モード」、「出力待ち」、「第１の登録手段」、「表示手段」、「ユーザ」、「修正された」、「画像形成装置」に相当する。
　そして、両者はともに、「ユーザ（オペレータ）からの指示によって修正（変更）された表示手段（ジョブ設定表示部Ｕ２）に表示された動作モード（処理条件）と、読取手段によって読取られた画像データとを対応付けて新規のジョブとして登録する手段と、登録手段によって登録された複数のジョブの画像データを当該動作モードに基づいて出力するための出力手段を含んでいるということができる。
　また、前者はユーザによって選択された第１のジョブの動作モードを修正するものであることは明らかである。
　したがって、両者は、
「原稿の画像を読取るための読取手段と、
　前記読取手段によって読取られた画像データと動作モードとを対応付けてジョブとして登録するための第１の登録手段と、
　前記第１の登録手段によって登録された出力待ちの複数のジョブの中から第１のジョブを選択するための選択手段と、
　前記選択手段によって選択された第１のジョブの動作モードを表示するための表示手段と、
　ユーザからの指示によって第１のジョブの動作モードが修正されたものである前記表示手段に表示された動作モードと、読取手段によって読み取られた画像データとを対応付けて新規のジョブとして登録する登録手段と、
　登録手段によって登録された複数のジョブの画像データを当該動作モードに基づいて出力するための出力手段とを含む画像形成装置。」
である点で一致し、以下の点で相違する。
　 
（３−１）相違点 
　ユーザが出力待ちの複数のジョブの中から第１のジョブを選択して動作モードを表示し、第１のジョブの動作モードを修正して画像データと対応付けて新規のジョブとして登録するのに際して、前者は、修正された動作モードと、読取手段によって新たに読取られた画像データとを対応付けて新規の第２のジョブとして登録するための第２の登録手段を有しているのに対して、後者は、修正（変更）された動作モード（処理条件）と、読取手段（画像読み取り装置Ｂ２）によって読取られた第１のジョブの画像データとを対応付けて新規のジョブとして登録するための登録手段（
ジョブ処理変更手段ｂ
 　 
４．判断 
　刊行物１記載発明は、ジョブの動作モード（処理条件）と、読取手段（画像読み取り装置Ｂ２）によって読取られた画像データとを対応付けて登録された出力（実行）待ちの複数のジョブを表示してそのうちの一つをユーザ（オペレータ）が選択し、選択されたジョブの動作モードを表示し、修正（変更）して新規のジョブとして登録可能としたものである。
　そして、刊行物１記載発明は、ユーザが登録された複数のジョブの中から所望のジョブを選択し、選択したジョブの動作モードを表示手段に表示して修正可能とすることにより、ジョブの動作モード設定変更時におけるユーザの操作性の向上を図るものである。
　そしてまた、画像形成装置において、ユーザがジョブの動作モードと読取手段によって新たに読取られる画像データとを対応付けて新規なジョブとして登録する場合に、登録されている複数の動作モードのうちの所望のものをユーザが選択して表示し、読取手段によって新たに読取られた画像データとを対応付けて新規のジョブとして登録する登録手段を具備させることにより、新たなジョブの動作モードの設定の際のユーザの操作性を向上させることは、審査時に引用された特開平４−２６００６４号公報、特開平８−２０２２１０号公報の他に、特開昭６３−２０８０号公報、特開平３−３３７６５号公報、特開平３−４４６５８号公報、特開平４−６７１６８号公報、特開平４−２８９８７４号公報、特開平８−１６０４４号公報、特開平９−２５１２５８号公報に記載されているように、本願出願前における周知慣用の技術的事項である。
　してみると、刊行物１記載発明において、「オペレータからの指示によって変更された前記ジョブ設定表示部Ｕ２に表示された処理条件」と、新たに読み取られた画像データとを対応付けて新規の第２のジョブとして登録する登録手段を具備させることにより、相違点に係る構成を有するものとすることは、上記周知慣用の技術的事項を参酌することにより、当業者が適宜行うことである。
　また、本願発明１が刊行物１記載発明に対して、上記相違点に係る構成を有するものとしたことにより、当業者が予期せぬ格別の効果を奏するものでもない。
　
５．むすび
　以上のとおり、本願の請求項１に係る発明は、刊行物１に記載された発明、及び、周知技術に基づいて当業者が容易に発明をすることができたものであるから、特許法第２９条第２項の規定により特許を受けることができず、本願の他の請求項に係る発明について検討するまでもなく、本願は、拒絶すべきものである。
　よって、結論のとおり審決する。